(57)【要約】ＬＥＤ光源が、端子(12,13)を介して電子変成器に接続可能であり、かつ、少なくとも１つのＬＥＤ(4)を含む被給電回路に接続可能な副回路(24)を含む。副回路(24)は、変成器(25)に接続可能な副回路整流器(1a,1b,1c,1d)、及び副回路整流器(1a,1b,1c,1d)に並列に接続された定電流レギュレータ(7)及び副回路コンデンサ(6)を含む。
2015531154.tif 000002
【特許請求の範囲】
【請求項１】
副回路(24)を含む電子装置であって、前記副回路(24)が、当該副回路(24)を少なくとも１つの電子変成器(25)に接続するように構成された第１接続手段(12,13)、及び当該副回路(24)を少なくとも１つの被給電回路(3,4,20)に接続するように構成された第２接続手段(14,15)を含む電子装置において、
前記副回路(24)が、
前記第１接続手段(12,13)を介して前記電子変成器(25)に接続可能であり、かつ、前記第２接続手段(14,15)にＤＣを供給するように構成された少なくとも１つの副回路整流器(1a,1b,1c,1d)と、
前記第２接続手段(14,15)に接続された定電流レギュレータ(7)と、
前記定電流レギュレータ(7)に並列に接続された副回路コンデンサ(6)と
を含むことを特徴とする電子装置。
【請求項２】
前記副回路(24)がアナログ回路であることを特徴とする請求項１に記載の電子装置。
【請求項３】
前記定電流レギュレータ(7)及び前記副回路コンデンサ(6)は、当該副回路コンデンサ(6)を、前記定電流レギュレータによって、視覚的に知覚可能であるよりも高い周波数で放電が発生するのに十分なほど高い速度で放電させることができるように構成されていることを特徴とする請求項１または２に記載の電子装置。
【請求項４】
前記定電流レギュレータ(7)及び前記副回路コンデンサ(6)は、ＡＣ電力源が前記第１接続手段(12,13)に接続されると、前記ＡＣ電力源の電力サイクルの期間中に、低インピーダンスと高インピーダンスとの間で複数回変化するように構成されていることを特徴とする請求項１または２に記載の電子装置。
【請求項５】
前記副回路(24)が、前記被給電回路(3,4)を有する電子回路(21,22,23)の一部分を形成することを特徴とする請求項１〜４のいずれかに記載の電子装置。
【請求項６】
前記被給電回路が少なくとも１つのＬＥＤ(4)を含み、前記副回路が、ＬＥＤ光源の電子回路(21,22,23)内に統合されていることを特徴とする請求項５に記載の電子装置。
【請求項７】
前記被給電回路(3,4)が、前記第２接続手段(14,15)に接続されていることを特徴とする請求項５または６に記載の電子装置。
【請求項８】
前記電子回路(21,22)が、前記被給電回路(3,4)に並列に接続されたバッファコンデンサ(2)を含むことを特徴とする請求項７に記載の電子装置。
【請求項９】
前記バッファコンデンサ(2)が、前記副回路コンデンサ(6)よりも十分に大きいことを特徴とする請求項８に記載の電子装置。
【請求項１０】
前記電子回路(22)が、前記副回路(24)と前記被給電回路(3,4)との間に接続された少なくとも１つの逆電流防止ダイオード(8)を含むことを特徴とする請求項８または９に記載の電子装置。
【請求項１１】
前記電子回路(21)が、前記副回路整流器(5a,5b,1c,1d)と並列に接続された少なくとも１つの電源回路整流器(1a,1b,1c,1d)を含むことを特徴とする請求項８または９に記載の電子装置。
【請求項１２】
少なくとも１つのダイオード(1c,1d)が、前記電源回路(1a,1b,1c,1d)と前記副回路整流器(5a,5b,1c,1d)との間で共有されることを特徴とする請求項１１に記載の電子装置。
【請求項１３】
２つのダイオード(1c,1d)が、前記電源回路整流器(1a,1b,1c,1d)と前記副回路整流器(5a,5b,1c,1d)との間で共有されることを特徴とする請求項１２に記載の電子装置。
【請求項１４】
前記副回路コンデンサ(6)が、１μF未満の値を有することを特徴とする請求項８〜１３のいずれかに記載の電子装置。
【請求項１５】
前記副回路コンデンサ(6)が、約４７０nFの値を有することを特徴とする請求項１４に記載の電子装置。
【請求項１６】
前記定電流レギュレータ(7)が、電流を約２０mAに調整するように構成されていることを特徴とする請求項１４また１５に記載の電子装置。
【請求項１７】
前記定電流レギュレータ(7)が、NSI 45020型であることを特徴とする請求項１６に記載の電子装置。
【発明の詳細な説明】
【技術分野】
【０００１】
発明の分野
本発明は、発光ダイオード（ＬＥＤ：light emitting diode）光源のような低負荷用の電子回路に関するものである。特に、本発明は、電子変成器によって、ＬＥＤ光源によって取り出される電力よりも高い最小電力定格でＬＥＤ光源に給電することを可能にする副回路に関するものである。しかし、本発明は、ＬＥＤ光源に限定されず、電子変成器を動作状態に保つために、より広く用いることができる。
【背景技術】
【０００２】
発明の背景
ＬＥＤ光源は、低電圧（１２V）ハロゲンランプを置き換えてエネルギーを節約するために用いられることが多いが、ハロゲンランプをＬＥＤ光源に置き換えて既存の電子変成器に接続する際に、問題が生じることがある。
【０００３】
電子変成器は、絶縁変成器に給電する高周波発振器を含み、この絶縁変成器は、ハロゲンランプまたはＬＥＤ光源のような接続された負荷に給電する。この負荷は、絶縁変成器がオン状態になって電力を供給するために十分な電力を電子変成器から取り出す必要があり、即ち、絶縁変成器に十分な負荷をかける必要がある。一般に、１２Vハロゲンランプ用の電子変成器は、２０〜７０Wの負荷で動作するような定格であり、ハロゲンランプは、一般に、２０Wまたは５０Wの電力定格で給電される。しかし、ハロゲンランプを置き換えるＬＥＤ光源は、一般に、２０Wより小さい電力を取り出し、絶縁変成器が過小負荷状態になるという結果を伴う。
【０００４】
電子変成器は、接続された負荷が最小レベルを下回る場合に電力の供給を停止する。ＬＥＤ光源は、電子変成器に接続されると、最初は、変成器をオン状態にするのに十分な負荷を変成器に与える。しかし、初期の突入電力に続いて、ＬＥＤ光源は、電子変成器の最小要求よりも小さい電力を取り出し（即ち、低負荷を与え）、従って、変成器がオフ状態になって電力の供給を停止する。
【０００５】
特定の電子変成器次第で、電子変成器が再びオン状態になって（再点孤して）電力を供給することも、そうならないこともあり、ＬＥＤが電力を受けない（即ち、完全に機能不全になる）か、上述したサイクルを反復してＬＥＤが点滅するかのいずれかである、という結果を伴う。
【０００６】
過小負荷の変成器の問題に応える試みの大部分は、バック・レギュレータが後続するブースタ回路に基づく。これらのブースタ回路は、変成器に与えられるインピーダンスを低下させる。これらの回路は、インダクタ、スイッチ、及びＰＷＭ発生器のようないくつかの論理回路を含み、これらは上記回路を高価かつ大型にする。さらに、高頻度のスイッチングはＥＭＩ（electromagnetic interference：電磁波妨害）関連の問題を生じさせる。米国特許出願公開第２０１１／０１１５４００号明細書（特許文献１）は、こうしたブースタ回路の例を開示している。
【０００７】
他の解決策は、パルス電流を変成器内に戻るように供給して変成器を再点孤することによって、変成器を点孤しようとする。これらの解決策も、十分高い電流を変成器に供給して、こうした変成器を再点孤するために、論理回路及び大型のコンデンサを必要とする。高電流の再点孤パルスが、ＬＥＤライトと変成器との間に流れるので、ＥＭＩ問題が発生し得る。米国特許第６４３３４９３号明細書（特許文献２）は、変成器を再点孤するためのフィードバックの例を開示している。
【先行技術文献】
【特許文献】
【０００８】
【特許文献１】米国特許出願公開第２０１１／０１１５４００号明細書
【特許文献２】米国特許第６４３３４９３号明細書
【発明の概要】
【発明が解決しようとする課題】
【０００９】
本発明は、電子変成器を低負荷条件下で機能状態に保って、可視のフリッカ（点滅、ちらつき）のような不備、高コスト、及び大容積を回避しつつ、ＬＥＤ光源に電力を供給することを追求する。
【課題を解決するための手段】
【００１０】
本発明によれば、副回路を含む電子装置が提供され、この副回路は、当該副回路を少なくとも１つの電子変成器に接続するように構成された第１接続手段、及び当該副回路を少なくとも１つの被給電回路に接続するように構成された第２接続手段を含み、上記副回路は：
上記第１接続手段を介して上記電子変成器に接続可能であり、かつ、上記第２接続手段にＤＣを供給するように構成された少なくとも１つの副回路整流器と；
上記第２接続手段に接続された定電流レギュレータと；
この定電流レギュレータに並列に接続された副回路コンデンサとを含む。
【００１１】
上記被給電回路は、上記電子変成器からの電力によって駆動されることを意図したあらゆる回路であり、ＬＥＤ、ＬＥＤドライバ、あるいは電力を必要とする他のあらゆる回路または構成要素を含むことができる。
【００１２】
上記第１及び第２接続手段は、端子、コネクタ、等である必要はなく、あらゆる導電手段とすることができる。
【００１３】
上記副回路はアナログ回路とすることができ、「アナログ」とは、本明細書では、論理またはスイッチング素子を含まない電子回路を称する。
【００１４】
上記定電流レギュレータ及び副回路コンデンサは、当該副回路コンデンサを、当該定電流レギュレータによって、視覚的に知覚可能であるよりも高い周波数で放電が発生するのに、及び／または、上記第１接続手段に接続されたＡＣ電力源の電力サイクルの期間中に、低インピーダンスと高インピーダンスとの間で複数回変化するのに十分なほど高い速度で放電させることができるように構成することができる。
【００１５】
上記副回路は、上記被給電回路を有する電子回路の一部分を形成することができ、上記被給電回路は、少なくとも１つのＬＥＤを含むことができ、即ち、上記副回路は、ＬＥＤ光源の電子回路内に統合することができる。
【００１６】
上記被給電回路は、上記第２接続手段に接続することができる。
【００１７】
上記電子回路は、上記被給電回路に並列に接続されたバッファコンデンサを含むことができ、上記バッファコンデンサは、上記副回路コンデンサよりも十分に大きくすることができる。
【００１８】
上記電子回路は、上記副回路と上記被給電回路との間に接続された少なくとも１つの逆電流防止ダイオードを含むことができる。
【００１９】
上記電子回路は、上記副回路整流器に並列に接続された少なくとも１つの電源回路整流器を含むことができ、１つまたは２つのダイオードを、上記電力回路整流器と上記副回路整流器との間で共有することができる。
【００２０】
上記副回路コンデンサは、１μF未満の値を有することができ、約４７０nFの値を有することが好ましい。
【００２１】
上記定電流レギュレータは、電流を約２０mAに調整するように構成することができ、及び／または、NSI45020型とすることができる。
【００２２】
本発明をより良く理解するために、そして、本発明を実行に移すために、以下、本発明を、非限定的な例によって、添付した図面を参照しながら説明する。
【図面の簡単な説明】
【００２３】
【図１】従来技術による、電子変成器から電力を受けるように構成されたＬＥＤ光源の回路図である。
【図２】本発明によるＬＥＤ光源の第１実施形態の回路図である。
【図３】本発明によるＬＥＤ光源の第２実施形態の回路図である。
【図４】本発明によるＬＥＤ光源の第３実施形態の回路図である。
【図５】図２に示す回路について、それぞれ副回路コンデンサ及びバッファコンデンサの端子間の電圧波形を示す図である。
【図６】図２〜４に示すＬＥＤ光源の実施形態に共通する、本発明による副回路を示す図である。
【図７】図１〜４及び図６にＬＥＤ光源のいずれかに電力を供給するための電子変成器を概略表現で示す図である。
【発明を実施するための形態】
【００２４】
図面の詳細な説明
図１及び７を参照すれば、従来技術による低電圧（１２V）ＬＥＤ光源用の回路全体を参照番号２０によって識別し、この回路は、典型的には、ダイオード１ａ、１ｂ、１ｃ、１ｄを具えたブリッジ整流器、バッファコンデンサ２、ＬＥＤドライバ３、及びＬＥＤ４を含み、これらは図１に示すように接続されている。ブリッジ整流器１ａ、１ｂ、１ｃ、１ｄの端子１２及び１３は低電圧ＡＣ電源に接続され、この整流器は、電力を変換してＤＣ電力を回路２０の残りの部分に供給する。図７に、電子変成器２５を示し、電子変成器２５は、２つの高電圧入力端子１６、１７、及び図１に示す回路２０のブリッジ整流器１ａ、１ｂ、１ｃ、１ｄの端子１２、１３に接続された２つの低電圧出力端子１８、１９を有する。
【００２５】
電力が回路２０に最初に供給される際に、ＬＥＤドライバ３のインピーダンスは高く、バッファコンデンサ２のインピーダンスは低く、電流は、バッファコンデンサ２を充電するように流れる、という結果を伴う。ＬＥＤ４を通る電流が増加するに連れて、ドライバ３のインピーダンスが減少し、バッファコンデンサ２が充電されるに連れて、そのインピーダンスが増加し、バッファコンデンサ２が、ＬＥＤ４及びＬＥＤドライバ３という負荷のバッファの役割を果たす、という結果を伴う。バッファコンデンサ２は、変成器２５及び整流器からの電力が停止した際に、いくらかの電力をＬＥＤドライバ３に供給する役割も果たし、従って、ＬＥＤドライバ３への電力供給を均等化する。
【００２６】
低電圧ＡＣ電源が、図７に示すような電子変圧器２５である場合、ＬＥＤ４及びＬＥＤドライバ３という変成器上の負荷は、変成器の動作範囲の下限より小さいことが多く、本明細書で上述したように、上記光源が機能不全になるか点滅し得る。一般に、変成器２５は電力供給を停止し、（代表的な５０または６０Hzの幹線ＡＣ電源を使用する際には）およそ１ミリ秒毎に再点孤する試みを開始する。
【００２７】
図２では、本発明によるＬＥＤ光源用回路の第１実施形態の全体を参照番号２１で識別するのに対し、図３及び４は、こうした回路の、より少数の構成要素を有する代案実施形態を示し、その全体を参照番号２２及び２３で識別する。図２〜４に示す回路２１、２２、２３の各々は、図１の回路２０の特徴を含み、追加的な構成要素を有し、これらの回路のいずれにも共通する構成要素は、同じ参照番号で識別する。
【００２８】
図２を参照すれば、２つの追加的なダイオード５ａ、５ｂ、副回路コンデンサ６、及び定電流レギュレータ７が回路２１に含まれる。ダイオード５ａ及び５ｂは、図１の元の電力回路２０の整流器からのダイオード１ｃ及び１ｄを共有することによって副回路フルブリッジ整流器を形成する。これらのダイオードを共用することによって、回路２１の構成要素の個数が最小化される。副回路コンデンサ６及び定電流レギュレータ７が、第２ブリッジ整流器５ａ、５ｂ、１ｃ、１ｄから給電されるので、副回路キャパシタ６は、定電流レギュレータ７のみによって放電することができ、バッファコンデンサ２によって充電することはできない。
【００２９】
定電流レギュレータ７は、副回路コンデンサ６から連続して電力を排出する。整流器にＡＣ電力を供給する電子変成器２５がオフ状態であれば、定電流源７は副回路コンデンサ６を放電して、副回路コンデンサ６の端子間電圧を減少させる。放電した副回路コンデンサ６は、変成器２５に低インピーダンス（高負荷）を与える。従って、変成器はオン状態になる。
【００３０】
変成器２５がオン状態に切り換われば、定電流レギュレータ７が副回路コンデンサ６を放電している間に、整流器５ａ、５ｂ、１ｃ、１ｄからの電流が副回路コンデンサ６を充電し、これにより、副回路コンデンサの端子間電圧を維持する。その結果、変成器２５には高いインピーダンス（低負荷）が与えられる。ＬＥＤ光源（即ち、回路２１）が電子変成器２５から十分な電力を取り出し続ける限り、この変成器はオン状態に留まる。さもなければ、電子変成器２５がオフ状態になって、上記サイクルを繰り返す。
【００３１】
副回路コンデンサ６の端子間電圧が降下するに連れて、定電流レギュレータ７の等価抵抗が低くなる。このことが、定電流レギュレータの特徴である。このことは、定電流レギュレータ７の代わりに通常の抵抗器を使用する従来技術の回路（図示せず）と比べると、重要な差異である。電子変成器２５が電力を供給し、副回路コンデンサ６の端子間電圧が維持される際に、定電流レギュレータ７は高い抵抗を有する。この高抵抗は、定電流レギュレータ７の端子間に低い電力損失を生じさせる。定電流レギュレータ７の代わりに従来の抵抗器を用いる場合、同様の放電時間を達成するためには低い抵抗値が必要であり、このことは、変成器がオン状態である際に高い電力損失を生じさせる。
【００３２】
変成器２５が電力の供給を停止すると、副回路コンデンサ６の端子間電圧が減少するに連れて、定電流レギュレータ７の等価抵抗が減少する。定電流レギュレータ７の等価抵抗が減少することにより、副回路コンデンサ６の放電時間が速くなる。速い放電時間は、副回路コンデンサ６の端子間電圧が（図５に示す）十分低い電圧１１に迅速に達することを意味し、これにより変成器２５が再点孤する。
【００３３】
定電流レギュレータ７は、例えば、ON Semiconductor（オン・セミコンダクター）社製のNSI 45020型とすることができる。
【００３４】
副回路コンデンサ６は、低い等価直列抵抗（ＥＳＲ：equivalent series resistance）を有して、当該副回路コンデンサが電流を排出する際に、低いインピーダンスを電子変成器２５に与えるべきであり、上記低い等価直列抵抗は、１０ミリオームより小さいことが好ましい。タンタルコンデンサのような低可聴ノイズのコンデンサを用いて、副回路コンデンサ６が可聴周波数範囲内で急速に充電及び放電される間に、可聴ノイズを回避することもできる。
【００３５】
（図５に示す）副回路コンデンサ６の速い充電及び放電時間を保証し、その結果、バッファコンデンサ２、ＬＥＤドライバ３、及びＬＥＤ４に給電する電子変成器２５の速い点孤速度を保証するためには、当該副回路コンデンサの値（蓄積電位）を低く（例えば、１μF未満、代表的には４７０nF）保つべきである。副回路コンデンサ６の十分低い値により、電子変成器２５の再点孤時間が、５０または６０Hzの幹線給電サイクル毎に複数回発生し、こうした再点孤の周波数の増加は、変成器のオフ時間の減少を生じさせ、（図５に示す）バッファコンデンサ２におけるリップル９も低減し、これにより、より一貫性のある電力を、ＬＥＤドライバ３及びＬＥＤ４に供給することができる。このことは、５０または６０Hzの半サイクル毎に１回、再点孤が発生する従来技術に対する非常に大きな改善である。電子変成器２５の再点孤周波数の増加は、この再点孤周波数が視覚的に知覚される可能性も低減する。
【００３６】
本発明による回路２２の代案（第２）実施形態を、図３に示す。本実施形態では、図２の回路２１と比べると、第２のブリッジ整流器を形成するダイオード５ａ、５ｂが省略され、追加的な逆電流防止ダイオード８が追加されている。図３に示す回路２２では、逆電流防止ダイオード８が、図２に示す回路２１内のダイオード５ａ及び５ｂと同じ機能を果たして、副回路コンデンサ６が、定電流レギュレータ７のみによって放電することができ、バッファコンデンサ２によって充電することができないことを保証する。
【００３７】
図３に示す回路２２は、図２に示す回路２１よりも１つ少ない構成要素を有し、このことはコスト節減を生じさせるが、図３に示す回路２２内に追加的損失が発生する、というのは、ＬＥＤ４への全供給電流が、逆電流防止ダイオード８を通って流れるからである。図３に示す構成は、エネルギー損失の優先度がより低い、コストに敏感な用途において有益であり得る。
【００３８】
図４を参照すれば、本発明による回路２３の第３実施形態において、図３に示す回路２２と比べると、バッファコンデンサ２及び逆電流防止ダイオード８が省略されている。従って、本発明のこの実施形態は、図３に示すものよりもさらに費用効果的であり、変成器再点孤の周波数増加の恩恵を受けるが、バッファコンデンサ２がＬＥＤドライバ３に均等な電力を供給する利点がない。しかし、電子変成器２５が再点孤する周波数は、視覚的に知覚可能である周波数よりも高いので、ＬＥＤ４から放出される光は、一定の輝きとして知覚される。
【００３９】
図６に、アナログ起動の副回路２４を示し、これは、図２〜４の各々に示す回路２１、２２、２３の各々に共通する。しかし、図６に示すブリッジ整流器のダイオード１ａ及び１ｂは、図２では５ａ及び５ｂに再付番されている。図２〜４に示す実施形態の各々では、副回路２４がＬＥＤ光源の回路２１、２２、２３の一部分を形成するが、副回路２４は、本発明のさらなる実施形態において用いることができる。
【００４０】
本発明の第４実施形態では、副回路２４のＡＣ入力端子１２、１３が、電子変成器２５の出力端子１８、１９に接続されて、変成器を動作状態に保って、変成器の出力端子１８、１９に接続することができる他のあらゆる回路に電力を供給する。
【００４１】
本発明の第５実施形態では、副回路２４が独立した構成要素内に含まれる（即ち、ＬＥＤ光源の内部回路内には含まれない）。副回路２４のＡＣ入力端子は、電子変成器２５の出力端子１８、１９に接続され、出力端子１４、１５は、１つ以上のＬＥＤドライバ及びＬＥＤに接続され、こうして、副回路２４がＬＥＤ光源から分離されていること以外は、図４に示す回路２３と同じ回路を効果的に形成する。同様に、ＬＥＤドライバ３及びＬＥＤ４以外の被給電回路に電力を供給するように、副回路２４の出力端子１４、１５を接続することができる。
【図１】
2015531154.tif 000003
【図２】
2015531154.tif 000004
【図３】
2015531154.tif 000005
【図４】
2015531154.tif 000006
【図５】
2015531154.tif 000007
【図６】
2015531154.tif 000008
【図７】
2015531154.tif 000009
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
副回路(24)を含む電子装置であって、前記副回路(24)が、当該副回路(24)を少なくとも１つの電子変成器(25)に接続するように構成された第１接続手段(12,13)、及び第２接続手段(14,15)を含み、この第２接続手段によって、前記副回路(24)が少なくとも１つの被給電回路(3,4)に接続され、前記副回路(24)が、前記被給電回路(3,4)を有する電子回路(21,22)の一部分を形成し、
前記副回路(24)が、
前記第１接続手段(12,13)を介して前記電子変成器(25)に接続可能であり、かつ、前記第２接続手段(14,15)にＤＣを供給するように構成された少なくとも１つの副回路整流器(1a,1b,1c,1d)と、
前記第２接続手段(14,15)に接続された定電流レギュレータ(7)と、
前記定電流レギュレータ(7)に並列に接続された副回路コンデンサ(6)とを含む電子装置において、
前記電子回路(21,22)が、前記被給電回路(3,4)に並列に接続されたバッファコンデンサ(2)を含み、
前記電子回路(22)が、さらに、前記副回路(24)と前記被給電回路(3,4)との間に接続された少なくとも１つの逆電流防止ダイオード(1a,1b,8)を含む
ことを特徴とする電子装置。
【請求項２】
前記電子回路(21)が、前記副回路整流器(5a,5b,1c,1d)と並列に接続された少なくとも１つの電源回路整流器(1a,1b,1c,1d)を含むことを特徴とする請求項１に記載の電子装置。
【請求項３】
少なくとも１つのダイオード(1c,1d)が、前記電源回路(1a,1b,1c,1d)と前記副回路整流器(5a,5b,1c,1d)との間で共有されることを特徴とする請求項２に記載の電子装置。
【請求項４】
２つのダイオード(1c,1d)が、前記電源回路整流器(1a,1b,1c,1d)と前記副回路整流器(5a,5b,1c,1d)との間で共有されることを特徴とする請求項３に記載の電子装置。
【請求項５】
前記定電流レギュレータ(7)及び前記副回路コンデンサ(6)は、当該副回路コンデンサ(6)を、前記定電流レギュレータによって、視覚的に知覚可能であるよりも高い周波数で放電が発生するのに十分なほど高い速度で放電させることができるように構成されていることを特徴とする請求項１〜４のいずれかに記載の電子装置。
【請求項６】
前記定電流レギュレータ(7)及び前記副回路コンデンサ(6)は、ＡＣ電力源が前記第１接続手段(12,13)に接続されると、前記ＡＣ電力源の電力サイクルの期間中に、低インピーダンスと高インピーダンスとの間で複数回変化するように構成されていることを特徴とする請求項１〜５のいずれかに記載の電子装置。
【請求項７】
前記被給電回路が少なくとも１つのＬＥＤ(4)を含み、前記副回路が、ＬＥＤ光源の電子回路(21,22,23)内に統合されていることを特徴とする請求項１〜６のいずれかに記載の電子装置。
【請求項８】
前記バッファコンデンサ(2)が、前記副回路コンデンサ(6)よりも十分に大きいことを特徴とする請求項１〜７のいずれかに記載の電子装置。
【請求項９】
前記副回路コンデンサ(6)が、１μF未満の値を有することを特徴とする請求項１〜８のいずれかに記載の電子装置。
【請求項１０】
前記副回路コンデンサ(6)が、約４７０nFの値を有することを特徴とする請求項９に記載の電子装置。
【請求項１１】
前記定電流レギュレータ(7)が、電流を約２０mAに調整するように構成されていることを特徴とする請求項９また１０に記載の電子装置。
【請求項１２】
前記定電流レギュレータ(7)が、NSI 45020型であることを特徴とする請求項１１に記載の電子装置。
【国際調査報告】
2015531154.tif 000010
2015531154.tif 000011
2015531154.tif 000012